(57)【要約】  【課題】放送受信手段を有する携帯端末装置において、放送受信手段を起動した際に簡単な操作で携帯端末装置を望ましいモードに設定できるようにする。  【解決手段】放送受信手段を動作させるインターフェース、たとえば、コネクタのプラグが着脱可能なレセプタクルと、レセプタクルに放送受信手段を動作させるコネクタのプラグが装着されたか否かを検出する検出手段と、検出手段においてコネクタのプラグがレセプタクルに装着されたか否かを検出した状態に応じて、当該携帯端末装置の動作モードを設定する制御手段とを有する。【選択図】  図１
2006129030.tif 000002
【特許請求の範囲】
【請求項１】
デジタル放送を受信する受信手段と、
付属装置を接続するインターフェースと、
該インターフェースの接続状態を検出する検出手段と、
前記受信手段が受信したデジタル放送を視聴する際、前記検出手段が検出した前記インターフェースの接続状態に基づいて携帯端末装置の動作モードを所定モードに変更する制御手段と
を備える携帯端末装置。
【請求項２】
時間帯を指定する時間帯指定手段を備え、
前記制御手段は、前記時間帯指定時間により指定した時間帯においてのみ、前記受信手段が受信したデジタル放送を視聴する際、前記検出手段が検出した前記インターフェースの接続状態に基づいて当該携帯端末装置の動作モードを所定のモードに変更する、
請求項１に記載の携帯端末装置。
【請求項３】
前記付属装置は、デジタル放送用外部アンテナである、請求項１に記載の携帯端末装置。
【請求項４】
携帯電話通信用の無線手段を備え、
前記制御手段は、前記所定のモードとして前記無線手段による発着信処理を行わせないモードに変更する、
請求項１に記載の携帯端末装置。
【請求項５】
少なくとも着信を音で報知する報知手段を備え、
前記制御手段は、前記所定のモードとして前記報知手段による着信音を報知させないモードに変更する、
請求項１に記載の携帯端末装置。
【発明の詳細な説明】
【技術分野】
【０００１】
本発明は携帯電話装置などを有する携帯端末装置に関する。
特に本発明は、たとえば、着信を音では報知しないモードや携帯通信用電波を送受信しないモードなどを備えた携帯電話装置と、放送受信手段とを備えた携帯端末装置に関する。
【背景技術】
【０００２】
携帯電話装置などの携帯端末装置（移動体端末装置）では、通常は電話の着信やメール着信を音で報知するが、いわゆるマナーモードのように着信を音では報知せずバイブレータで報知するモードを備えたものが普及している。
電車の中では着信音や通話によって周りの人に迷惑をかけることがないように、音が鳴らないマナーモードに設定した上で、通話をしないように車掌などから頻繁に呼びかけられている。
また、携帯電話装置や通信機能を持つパーソナルコンピュータなどの携帯通信機器などの携帯端末装置が外部に発する電波が、携帯端末装置の周囲に位置する心臓ペースメーカや、医療機器、補聴器などの電子機器の動作に悪影響することを配慮して、車内、特に、老人や身体不自由な人が座る電車の優先席付近では携帯電話装置の電源を切ることも求められている。
【０００３】
たとえば、特許文献１は、移動携帯端末装置の現在位置に対応して自動的に移動携帯端末装置の機能設定を変更することが可能な無線通信システムを開示している。
また、携帯電話通信用の電波を送受信しないが、ゲームやメール作成などを実行することができるモードを備えた携帯電話装置も知られており、そのようなモードは、電波オフモード、パーソナルモード、セルフモードなどと呼ばれている。
【０００４】
このような携帯端末装置をカバンやポケットに入れておく際にユーザが意図しないにも係わらず操作キーが押されて誤動作することを防ぐために、キー操作無効機能が使われている。
キー操作無効の設定中は携帯端末装置の外に露出しているキーが押されても、携帯端末装置はそのようなキー操作を無視する。そのようなキー操作無効を解除する方法としては、携帯端末装置から露出していないキーを操作するか、または携帯端末装置から露出しているキーを所定の手順で操作する。
【０００５】
以上述べた他、ＦＭラジオ受信機などの放送受信手段を備えた携帯電話装置も知られている。
【特許文献１】特開２００１−２５０７０号公報
【発明の開示】
【発明が解決しようとする課題】
【０００６】
たとえば、ラジオ受信機を備えた携帯端末装置を用いて、電車やバスの中でラジオ放送を聞くには、周囲の人へのマナーを配慮して、携帯端末装置において携帯電話通信用の電波を送受信しないように電波オフモードに設定し、リンガから音が出ないようにマナーモードに設定してから、ラジオ受信機を起動することが好ましいが、このような方法は操作が煩雑であるという問題がある。
【０００７】
さらに、ラジオ受信機が起動した後、携帯端末装置をカバンやポケットに入れるためには、キー操作無効の設定が必要であり、操作が煩雑であるという問題があった。
【０００８】
以上から、ラジオ受信機などの放送受信手段を利用する際に簡単な操作で望ましいモードに設定できる携帯端末装置が望まれている。
【０００９】
本発明の目的は、放送受信手段を使用するとき、簡単な操作で、携帯端末装置を望ましいモードに自動的に設定可能な携帯端末装置を提供することにある。
【課題を解決するための手段】
【００１０】
本発明によれば、デジタル放送を受信する受信手段と、付属装置を接続するインターフェースと、該インターフェースの接続状態を検出する検出手段と、前記受信手段が受信したデジタル放送を視聴する際、前記検出手段が検出した前記インターフェースの接続状態に基づいて携帯端末装置の動作モードを所定モードに変更する制御手段とを備える携帯端末装置が提供される。
【００１１】
本発明のさらに好ましい形態としては、当該携帯端末装置は、時間帯を指定する時間帯指定手段を備える。この場合、前記制御手段は、前記時間帯指定時間により指定した時間帯においてのみ、前記受信手段が受信したデジタル放送を視聴する際、前記検出手段が検出した前記インターフェースの接続状態に基づいて当該携帯端末装置の動作モードを所定のモードに変更する。
【００１２】
また本発明のさらに好ましい形態としては、当該携帯端末装置において、前記付属装置はデジタル放送用外部アンテナである。
【００１３】
さらに本発明のさらに好ましい形態としては、当該携帯端末装置は、携帯電話通信用の無線手段を備える。この場合、前記制御手段は、前記所定のモードとして前記無線手段による発着信処理を行わせないモードに変更する。
【００１４】
また本発明のさらに好ましい形態としては、当該携帯端末装置は、少なくとも着信を音で報知する報知手段を備える。この場合、前記制御手段は、前記所定のモードとして前記報知手段による着信音を報知させないモードに変更する。
【発明の効果】
【００１５】
本発明の携帯端末装置によれば、放送受信手段を使用する際に、インターフェースに接続される付属装置の接続状態を変えるという簡単な操作で携帯端末装置を所望の動作モードに設定できる。これによって放送受信手段付きの携帯端末装置の操作が簡便になる。また、設定解除などの忘れによるユーザが意図しない動作モードが継続することもない。
【発明を実施するための最良の形態】
【００１６】
本発明の携帯端末装置は、バッテリィで動作する携帯可能な通信装置であり、たとえば、テレビ／ラジオ受信、メール、インターネットブラウザなどを実行する装置などが該当する。
本発明において放送受信手段とは、たとえば、ラジオ放送またはテレビジョン放送を受信し、オーディオ信号やビデオ信号などを視聴可能にする手段である。放送方式はアナログ放送の他、地上デジタル放送や、人工衛星を利用した衛星放送でもよい。また本発明における放送受信手段としては、携帯通信用の電波を使わずに近距離無線によって放送情報を受信したり、有線の通信路から放送情報を受信し視聴可能にする手段であってもよい。
本発明においてインターフェースとは、たとえば、コネクタのような、プラグとレセプタクルとを総合したものを意味する。すなわち、携帯端末装置のレセプタクルと、携帯端末装置の付属装置として、このレセプタクルに着脱自在に装着する着脱可能な部品と携帯端末装置内の構成要素を結合するもので、たとえば、デジタル放送用外部アンテナや、イヤホンマイクや、着脱型外部アンテナのコネクタを利用することができる。本発明におけるインターフェースの例示としてのコネクタの一部の１例としての外部ラジオ電波受信用アンテナとしては、棒状のものやワイヤー状のものの他、様々な形状のアンテナがあり、アンテナと携帯端末装置とを電気的に接続するためのコネクタを利用することができる。
本発明において検出手段とは、機械的または電気的、あるいは、両者の組み合わせにより、たとえば、インターフェースの例としてコネクタのプラグがレセプタクルに装着されたか否か、好ましくは、コネクタのプラグがレセプタクルに装着されて携帯端末装置内の所望の部分に電気的に接続されたか否かを検出する。機械的に検出する場合は、インターフェースの例としてのコネクタの結合状態とは、プラグのレセプタクルとの結合の有無、結合の位置や姿勢を利用することができる。
本発明において制御手段とは、検出手段が、たとえば、コネクタのプラグがレセプタクルに装着されたか否かを検出した状態に応じて当該携帯端末装置の動作モードを設定するものであり、動作モードとしては、たとえば、通常動作モードの他、上述した電波オフモード、パーソナルモード、セルフモード、マナーモードなどのモードがある。
本発明において時間帯設定手段とは、開始時刻と終了時刻を設定する手段で、ソフトウエアによるメニューによる他、電子番組ガイドによってその番組の時間帯を設定する手段であってもよい。
以下、本発明の携帯端末装置の実施の形態を添付図面を参照して述べる。
【００１７】
第１実施の形態
図１〜図３を参照して、本発明の携帯端末装置の第１実施の形態を述べる。
図１は本発明の携帯端末装置の第１実施の形態を示すブロック図である。図２は第１実施の形態の携帯端末装置の外観を示す図である。図３は本実施形態の処理手順を示すフローチャートである。
本発明の携帯端末装置の第１実施の形態は、放送受信手段としてラジオ受信手段を有する他、一般的な、携帯電話機の機能を有する。以下、携帯端末装置における携帯電話機能のことを示す場合、携帯電話機または携帯電話機能という。
【００１８】
放送受信手段
図１において携帯端末装置１は、本発明の放送受信手段の１例としての、ラジオ受信部として機能する、放送無線部１０と、放送ベースバンド部１１と、内部ラジオ電波受信用アンテナ１２と、イヤホン２５と、オーディオインターフェイス回路（Ｉ／Ｆ）２６とを有する。携帯端末装置１はさらに、本発明のインターフェースの例示としてのコネクタに接続される付属装置の１例としての外部ラジオ電波受信用アンテナ１３を有する。
【００１９】
内部ラジオ電波受信用アンテナ１２は、図２に図解した携帯端末装置１のケース（筐体）６１内に収容されていて、携帯端末装置１の外部からは視認できない放送無線部１０に固定して接続されているラジオ電波受信用アンテナである。
他方、外部ラジオ電波受信用アンテナ１３は携帯端末装置１のケース６１の外部に位置し、先端に設けられているプラグ４１をレセプタクル４０に装着することにより放送無線部１０に接続可能なラジオ電波受信用アンテナである。
【００２０】
内部ラジオ電波受信用アンテナ１２の他に外部ラジオ電波受信用アンテナ１３を設けた理由は、たとえば、外部ラジオ電波受信用アンテナ１３は、電車や屋内など放送電波の弱い場所で感度を高め安定した受信を行う目的で使用するためである。本実施の形態においてはさらに、外部ラジオ電波受信用アンテナ１３のプラグ４１をレセプタクル４０に装着して外部ラジオ電波受信用アンテナ１３を放送無線部１０に接続してラジオ受信手段を使用するか否かによって、携帯端末装置１の動作モードを規定するコネクタとしての役割を持たせている。
【００２１】
放送無線部１０は、内部ラジオ電波受信用アンテナ１２及び外部ラジオ電波受信用アンテナ１３から得られる電波の特定の周波数帯域の受信信号を検波し、周波数変換などの所定の処理を施してベースバンド信号を生成する。なお、外部ラジオ電波受信用アンテナ１３と内部ラジオ電波受信用アンテナ１２との両者から電波が入力される場合、放送無線部１０は電波の強度が高いほうを使用する。
放送ベースバンド部１１は放送無線部１０から入力されたベースバンド信号を復号してオーディオ信号およびデータ情報を生成する。
放送ベースバンド部１１が生成したデータ情報はバスを通じて、コンピュータのＣＰＵ３３で処理され、液晶表示器（ＬＣＤ）２７に表示することもできる。
【００２２】
ＣＰＵ３３、時計３４、ＲＡＭ３５、ＲＯＭ３６、フラシュメモリ３７は、コンピュータシステムを構成しており、制御手段、時間帯指定手段などとして機能する。
これらコンピュータシステムと、ＬＣＤ２７も放送受信手段の一部を構成している。なお、これらは、後述する携帯電話機の一部も構成している。
【００２３】
携帯電話手段
携帯端末装置１は、携帯電話機として機能する、携帯電話用無線送受信用アンテナ５１と、電話無線部２０と、電話ベースバンド部２１と、イヤースピーカ２２と、マイクロフォン２３と、拡声スピーカ２４と、オーディオＩ／Ｆ回路２６と、ＬＣＤ２７と、ＬＣＤコントローラ２８と、バイブレータ２９と、ドライバ３０と、発光ダイオード（ＬＥＤ）３１と、キー３２とを有する。
携帯端末装置１はさらに、ＣＰＵ３３と、時計３４と、ＲＡＭ３５と、ＲＯＭ３６と、フラシュメモリ３７とを含む。
【００２４】
携帯電話用無線送受信用アンテナ５１は、携帯電話用の無線周波数信号（ＲＦ）信号）を送受信する。
電話無線部２０は、携帯電話用無線送受信用アンテナ５１で受信したＲＦ信号を処理して基地局と通信する、一方ベースバンド信号を電話ベースバンド部２１と通信する。無線電話用のベースバンド信号は電話ベースバンド部２１で復号されて制御情報や音声データが取り出される。音声データはＤ／Ａ変換された後、オーディオＩ／Ｆ回路２６へ送られる。オーディオＩ／Ｆ回路２６において、増幅されてイヤースピーカ２２、拡声スピーカ２４、イヤホン２５の何れかを選択して出力される。
他方、マイクロフォン２３で収音した音声信号はオーディオＩ／Ｆ回路２６で増幅され、電話ベースバンド部２１へ送られ、Ａ／Ｄ変換した後、符号化され、さらに変調されて電話無線部２０から携帯電話用無線送受信用アンテナ５１を経由して基地局へ無線送信される。
【００２５】
たとえば、携帯電話機が待ち受け状態のとき、携帯電話用無線送受信用アンテナ５１で受信した無線電波は、電話無線部２０において増幅され、フィルタ処理され、周波数変換されて、電話用ベースバンド信号に生成される。電話ベースバンド部２１は電話無線部２０から入力された電話ベースバンド信号を復号してオーディオ信号および制御信号、メールなどのデータ情報を生成する。オーディオＩ／Ｆ回路２６からの制御信号がＣＰＵ３３に送出されて、ＣＰＵ３３においてＲＯＭ３６に記憶されているプログラムに従って携帯電話機として各種の処理が行われる。その結果が、ＬＣＤコントローラ２８を介して液晶表示器（ＬＣＤ）２７に表示されたり、ドライバ３０を介してバイブレータ２９を動作させる。たとえば、オーディオＩ／Ｆ回路２６からのオーディオ信号がイヤースピーカ２２または拡声スピーカ２４から出力される。
【００２６】
他方、携帯端末装置１から通話を行うときは、ユーザによりキー３２の操作キー３２ｅ（図２）を用いてダイヤル操作が行われ、ＣＰＵ３３はＲＯＭ３６に格納されているプログラムに従って、発呼のための制御信号を生成して電話ベースバンド部２１に出力し、電話無線部２０から携帯電話用無線送受信用アンテナ５１を介して電話用無線電波が基地局に送出される。
相手側電話装置と電話回線が確立されると、マイクロフォン２３を介して音声がオーディオＩ／Ｆ回路２６、電話ベースバンド部２１、電話無線部２０およびアンテナ５１を介して基地局を中継して相手側電話装置に送出され、他方、相手側電話装置などからの音声がアンテナ５１、電話無線部２０、電話ベースバンド部２１、オーディオＩ／Ｆ回路２６を経由して、イヤースピーカ２２または拡声スピーカ２４から聞くことが出来る。
【００２７】
オーディオＩ／Ｆ回路２６は、本発明の放送受信手段および携帯電話装置の両者に共通に使用される。
オーディオ信号はオーディオＩ／Ｆ回路２６に送られ、増幅されてイヤースピーカ２２、拡声スピーカ２４、イヤホン２５の何れかを選択して出力される。
オーディオＩ／Ｆ回路２６はアナログ信号の増幅、音声パスの制御、Ａ／Ｄ変換、Ｄ／Ａ変換、可変ボリューム、ゲインレベル調整などの機能を持ったＬＳＩである。
【００２８】
ＣＰＵ３３は図示しないバスを通じて、オーディオＩ／Ｆ回路２６、放送ベースバンド部１１、ＲＡＭ３５、ＲＯＭ３６、フラシュメモリ３７、ＬＣＤコントローラ２８と接続し、各デバイスとデータの授受と、データの処理などを行う。
ＣＰＵ３３はまた、複数の周辺機器インターフェース回路を内蔵しており、これらを通じてオーディオＩ／Ｆ回路２６、電話ベースバンド部２１と通信してそれらの周辺機器インターフエース回路を制御する。また、ＣＰＵ３３はドライバ３０を制御してバイブレータ２９の動作を指示し、発光ダイオード（ＬＥＤ）３１の点滅を制御し、キー３２からの信号を検出して、キー操作イベントを生成する。
【００２９】
これらのＣＰＵ３３の動作はＲＯＭ３６に格納されたオペレーティングシステム（ＯＳ（Operating System））と各種制御処理プログラムなどのソフトウエアに従って実現され、演算処理はＲＡＭ３５を利用して行われ、携帯端末装置１の電源オフによって消去されては困るデータは不揮発性メモリであるフラシュメモリ３７に保存することにより、携帯端末装置１の電源を切っても（電源をオフにしても）消えずにデータを保存することができる。
【００３０】
時計３４はＣＰＵ３３に駆動クロックを供給すると同時に、実時間を保持してＣＰＵ３３に提供する。この実時間は設定された時間帯に該当するかどうかの判定に利用する。時計３４はＣＰＵ３３と協動して、本発明の時間帯指定手段として機能する。
【００３１】
上述したデバイス同士は直接メモリアクセス方式（ＤＭＡ方式）によって、ＣＰＵ３３を介さずとも相互にデータ転送が可能で、ＬＣＤコントローラ２８はＲＡＭ３５上のデータをＤＭＡを通じて受け取り、ＬＣＤ２７を制御して表示させる。ＤＭＡはまたＲＡＭ３５とオーディオＩ／Ｆ回路２６との間や、ＲＡＭ３５と放送ベースバンド部１１との間でも実行される。
【００３２】
キー３２は複数のキーから構成されている。例示として、図２に示すように本実施形態の携帯端末装置１は、電源入りキー３２ａ、マナーキー３２ｂ、放送受信キー３２ｃを備えている。また携帯端末装置１は上下左右キー３２ｄも備えている。さらに携帯端末装置１はダイヤル操作などに使用するテンキー３２ｅも備えている。
【００３３】
給電方法
携帯端末装置１は図示しないバッテリからの給電により、上述した構成要素が動作する。
バッテリの消費電力を極力低減するため、および、誤動作を防止する観点から、本実施の形態では、たとえば、発着信を停止させるため携帯電話機を動作させない場合は、携帯電話機を構成する部分にはバッテリから給電を行わないように、バッテリからの給電系統が構成されている。また、電波オフモードにすると、バッテリからの給電を停止する。逆に放送受信手段を動作させない場合は、放送受信手段を構成する部分には給電を行わないように、バッテリからの給電系統が構成されている。実際は、バッテリと各部分との間にスイッチを設けて、スイッチをオン／オフにすることにより、バッテリから給電したり、バッテリからの給電を停止する。これらスイッチのオン／オフ制御をＣＰＵ３３で行う。したがって、常時動作し、そのような給電制御を行うＣＰＵ３３、時計３４、ＲＡＭ３５、ＲＯＭ３６、フラシュメモリ３７などには、バッテリから給電が常時行われる。
また、携帯電話機能を遂行する部分と放送受信手段に共通して使用される部分、たとえば、オーディオＩ／Ｆ回路２６などにも、常時、バッテリから給電が行われる。
他方、携帯端末装置１全体として、電源オフ状態、または、電源オン状態にすることもできる。
【００３４】
携帯端末装置１内の携帯電話機の電源がオフ状態で電源入りキー３２ａを長押しすれば携帯電話機の電源をオン状態（電源投入状態）にすることができる。
携帯電話機の電源がオンの状態で、マナーキー３２ｂを押下すれば、制御手段として機能するＣＰＵ３３が動作して、たとえば、フラシュメモリ３７から、マナーモードの設定メニューを呼び出すことができ、放送受信キー３２ｃを押下すれば、ＣＰＵ３３が動作して放送受信手段を起動する。
キー３２の何れかを押下すると、ＣＰＵ３３のキーコントロール機能により割り込み信号が発生し、ＲＯＭ３６に格納されていてＣＰＵ３３で動作するキードライバ駆動プログラムが割り込みを処理してＯＳなどのソフトウエアがキー押下の通知を受け取る。
同様に、キー３２の何れかを解放した場合も割り込み信号が発生し、ＣＰＵ３３が動作して、ＲＯＭ３６に格納されている該当するプログラムがキー解放の通知を受け取る。
ＣＰＵ３３で動作する計時プログラムは、時計３４の時間を参照して、キー押下からキー解放までの時間を計ることにより、長押しか短押しかを判定する。
【００３５】
携帯電話機の電源がオフ状態の場合、通常は電源入りキー３２ａによって携帯電話機の電源をオン状態にするが、放送受信キー３２ｃを長押しすることによっても回路的に携帯電話機の電源を投入し、続いて、ＣＰＵ３３がモード設定を行い、放送受信手段の起動を行うのが好適である。あるいはまた放送受信キー３２ｃを押しながら電源入りキー３２ａを押下することによって携帯電話機の電源投入の動作を行うようにすることもできる。
【００３６】
携帯端末装置１のケース６１には外部ラジオ電波受信用アンテナ１３を接続するためのコネクタのプラグ４１を挿入するレセプタクル４０が設けてあり、アンテナ１３のコネクタのプラグ４１がレセプタクル４０に着脱できるようになっている。外部ラジオ電波受信用アンテナ１３は、上述したように、たとえば、電車や屋内など放送電波の弱い場所で感度を高め安定した受信を行う目的で使用する。
外部ラジオ電波受信用アンテナ１３のコネクタのプラグ４１がレセプタクル４０に差し込まれると図１に示したコネクタ検出部１４の電気接点が開き、ＣＰＵ３３がコネクタ検出部１４の電気接点の開状態から、レセプタクル４０へのプラグ４１の結合（接続）が行われたことを検出できる。逆の場合は、外部アンテナのコネクタのプラグ４１がレセプタクル４０に装着されていないことを検出することができる。このように、ＣＰＵ３３とコネクタ検出部１４とが協動して、本発明の検出手段として機能する。
つまり、コネクタ検出部１４の電気接点の状態が変化すると、たとえば、ＣＰＵ３３へ割り込みが発生し、ＣＰＵ３３が状態が変化した際に所定のプログラムを実行することができる。
【００３７】
図３は携帯端末装置１の処理手順、特に、ＣＰＵ３３における処理内容を示すフローチャートである。
ステップ１（Ｓ１）、ユーザが放送受信キー３２ｃを押下して放送受信の開始を指示する。
ステップ２（Ｓ２）、ＣＰＵ３３がコネクタ検出部１４の電気接点を調べて、外部ラジオ電波受信用アンテナ１３のコネクタのプラグ４１がレセプタクル４０に装着されているかどうかを判定する。
【００３８】
ステップ３（Ｓ３）、アンテナ１３のコネクタのプラグ４１がレセプタクル４０に装着（接続）されていれば、ユーザが放送受信手段を使用することを指示したとして、ＣＰＵ３３は携帯端末装置１の所定モードとして、放送受信手段をオン状態にし、携帯電話機能をマナーモード、および／または、電波オフモードにする所定モードに設定する。
なお、マナーモードとはスピーカ２４などを用いて報知する着信音やアラーム音が周囲に迷惑をかけないように規制するモードである。また、電波モードとは携帯電話通信用の無線部による発着信処理を行わせないように規制するモードである。
ステップ４（Ｓ４）、ＣＰＵ３３は放送受信手段を起動する。すなわち、ＣＰＵ３３は放送無線部１０、放送ベースバンド部１１、オーディオＩ／Ｆ回路２６にバッテリから給電させて動作可能状態にする。その結果、外部ラジオ電波受信用アンテナ１３で受信したラジオ放送内容が、たとえば、イヤホン２５から音として出力される。
【００３９】
ステップ５（Ｓ５）、他方、アンテナ１３のコネクタのプラグ４１がレセプタクル４０に装着（接続）されていなければ、放送受信手段は内部ラジオ電波受信用アンテナ１２で受信したラジオ放送を聞くことができるが、この場合、ＣＰＵ３３は、携帯電話機の動作モードを現状のモードに維持する。
【００４０】
なお、図３の手順が終了した後、放送受信手段でラジオ放送の受信を行っている最中にレセプタクル４０に外部アンテナ１３のプラグ４１が装着された場合、コネクタ検出部１４からＣＰＵ３３へ割り込みが発生する。ＣＰＵ３３は、この割り込みの処理手順の中でステップ２、ステップ３の処理を実行し、携帯電話機のモードをマナーモード、および／または、電波オフモードに設定する。
【００４１】
以上述べたように、本発明の第１実施の形態によれば、外部ラジオ電波受信用アンテナ１３のプラグ４１をレセプタクル４０に装着（接続）させるか否かで、自動的に携帯端末装置１の動作モードを設定し、設定したモードに応じた動作を行わせることができる。
【００４２】
第２実施の形態
図４〜図６を参照して本発明の携帯端末装置の第２実施の形態を述べる。
第２実施の形態は、第１実施の形態に時間帯指定手段を付加した。さらに、第１実施の形態の外部ラジオ電波受信用アンテナ１３に代えて、イヤホンアンテナ用コネクタのレセプタクル４２、イヤホンアンテナのコネクタのプラグ４３、ホール４４およびピン４５を用いることが第１実施の形態とは異なる。
なお、携帯端末装置１の構成は、図１を参照して述べたものと同様である。
【００４３】
図４は第２実施の形態の携帯端末装置１の外観図である。
図４においては、第１実施の形態における外部ラジオ電波受信用アンテナ１３とイヤホン２５とを同一ケーブルに収納したイヤホンアンテナ１５を採用している。プラグ４３とそのレセプタクル４２は、イヤホンアンテナ１５を携帯端末装置に接続する。さらにコネクタはピン４５とホール４４ａ、４４ｂ（総称してホール４４とする）を備えている。ピン４５はプラグ４３に平行して設けてある。
【００４４】
図５に携帯端末装置１の本体のケース（筐体）６１の側面に設けたコネクタのソケット正面図を示す。
イヤホンアンテナ１５のレセプタクル４２に隣接してホール４４ａ、４４ｂが設けてある。ピン４５はホール４４ａ、４４ｂのいずれかと結合する。
たとえば、イヤホンアンテナ１５のピン４５がホール４４ｂに挿入されると、ホール４４ｂ内部のコネクタ検出部１４の接点が開く。ＣＰＵ３３はコネクタ検出部１４の電気設定の開閉状態を調べることにより、コネクタの装着の有無を調べることができる。またコネクタ検出部１４からＣＰＵ３３へ割り込みが発生し、ピン４５が装着されたことを認識することもできる。
【００４５】
図６を参照して、第２実施の形態の動作形態を詳述するが、第２実施の形態においては、図６におけるステップ２においてピン４５とホール４４ａが結合していれば、ステップ５において携帯端末装置１のモードを維持する。他方、ピン４５とホール４４ｂが結合していれば、ステップ３に進んで携帯端末装置１をマナーモード、および／または、電波オフモードに設定する。
このようにして携帯端末装置１のユーザは、イヤホンアンテナ１５のプラグ４３の装着時に取り付け角度を、ホール４４ａかホール４４ｂかに変えることによって携帯端末装置のモード設定動作を選択することができる。
【００４６】
コネクタは上述した本発明の実施の形態に限らず、さまざまな形状や、さまざまな電気接点の構成が考えられる。
たとえば、ピン４５とホール４４ａ、またはピン４５と４４ｂが電気接点を構成してもよい。
または静電容量や光や電磁波を利用したセンサーを用いて、ピン４５とホール４４との接続状態（装着状態）を検出するように構成してもよい。
本発明の実施に際しては、これらさまざまなコネクタとセンサー手段を用いて実施することが可能である。
【００４７】
図６は本発明の第２実施の形態の動作の手順を示すフローチャートである。
第２実施形態の携帯端末装置は時間帯指定手段を備えるが、この時間帯指定手段は、操作キー３２ｅ、ＣＰＵ３３、時計３４、ＲＡＭ３５、ＲＯＭ３６、フラシュメモリ３７と、ＲＯＭ３６で構成され、ＣＰＵ３３で動作するプログラムによってその機能が遂行される。
図６のフローチャートを参照して動作を述べる。
【００４８】
ステップ６（Ｓ６）、ステップ６はユーザがモード設定の開始時間と終了時間との時間帯を設定する処理である。ユーザは携帯端末装置１の操作キー３２ｅを操作して、たとえば、午前６時５０分から午前７時３０分までの間のように時間帯を設定する。このように、指定した時間帯においてのみ、コネクタの結合状態に従って携帯端末装置１のモードを設定可能としている。
なお、一度、ステップ６において時間帯を設定した後は、変更が無い限りステップ６の処理を再実行する必要はない。
【００４９】
ステップ１（Ｓ１）、図３に図解したステップ１の処理と同様である。ユーザが放送受信キー３２ｃを押下して放送受信の開始を指示する。
【００５０】
ステップ７（Ｓ７）、ステップ７の処理は、ＣＰＵ３３が時計３４で示す現在時刻が時間帯設定手段によって設定された時間帯に該当するか判定する処理である。現在時刻はＣＰＵ３３が時計３４から得る。現在時刻が時間帯指定手段で設定された時間帯に該当する場合にはステップ２の処理へ進む。設定された時間帯に該当しない場合は、ステップ４へ進む。
【００５１】
ステップ２（Ｓ２）、ＣＰＵ３３がコネクタ検出部１４の電気接点を調べて、コネクタが結合（接続）しているかどうかを判定する。コネクタが結合していればステップ３へ進み、結合していなければステップ５へ進む。
すなわち、ピン４５とホール４４ａが結合していれば、ステップ５に進み、他方、ピン４５とホール４４ｂが結合していれば、ステップ３に進む。
【００５２】
ステップ３（Ｓ３）、ＣＰＵ３３は、図３を参照して述べたように、携帯端末装置１を所定モード、すなわち、携帯端末装置の動作モードをマナーモード、および／または、電波オフモードに設定する。
ステップ４（Ｓ４）、ＣＰＵ３３は、放送受信手段を起動する。すなわち、ＣＰＵ３３は放送無線部１０、放送ベースバンド部１１、オーディオＩ／Ｆ回路２６を起動して、受信したラジオ方法の音声信号をイヤホン２５、拡声スピーカ２４などから出力する。
【００５３】
ステップ５（Ｓ５）、他方、ピン４５とホール４４ａが結合しているとき、ＣＰＵ３３は、携帯端末装置１のモードを現状のモードに維持する。
【００５４】
なお、図６の手順が終了した後、放送受信を行っている最中にコネクタが結合した場合、たとえば、コネクタ検出部１４からＣＰＵ３３へ割り込みが発生し、この割り込みの処理手順の中で、ステップ７、ステップ２、ステップ３の処理を実行し、現在時刻が設定した時間帯に該当し、かつ、コネクタが結合していれば（たとえば、ピン４５とホール４４ｂとが接続していれば）携帯端末装置の動作モードをマナーモード、および／または、電波オフモードに設定する。
【００５５】
第２実施の形態ではこのように時間帯指定手段が指定した時間帯においてのみ、コネクタの結合状態に従って携帯端末装置１のモードを設定する動作を行うようにしたため、たとえば、朝の通勤時間においてのみ上述した動作モードを設定し、そのモードに応じた動作を携帯端末装置１に行わせることができる。
【００５６】
なお、本発明はラジオやテレビを利用する際、携帯端末装置が簡単に所望のモードに設定されることを目的とするものであって、上記実施の形態においては、ラジオやテレビの利用を検出する方法として、イヤホンやデジタル放送用外部アンテナなどの付属装置の携帯端末装置へのコネクタの接続状態を１つの判断基準にしている。しかしながら、ラジオやテレビの利用形態として無線式や赤外線など、物理的なケーブルやコネクタではないインターフェースを用いて、イヤホンや外部アンテナなどの携帯端末装置の付属装置を使用する場合にも、本発明は適用可能である。
たとえば、上述したステップ２の処理に関して、無線式イヤホンから携帯端末装置に対してアクセスがあった場合、その信号を本発明のモード変更処理のトリガーにすることもできるし、アクセスがあって無線式イヤホンが使用可能になった場合にモード変更処理のトリガーとしてもよい。また、実際に放送受信手段を起動する旨の信号を無線式イヤホンから受信した場合にモード変更処理のトリガーとすることもできる。
つまり、本発明においては、無線式のインターフェースにおける接続状態、換言すれば、無線式イヤホンを使用可能な付属装置として識別している状態、に応じて所望のモード変更処理を行うことができる。
また、無線式イヤホンを用いる際に、携帯端末装置に無線式のイヤホン用のアダプタに装着する必要がある場合には、このアダプタの装着が上記実施の形態におけるコネクタ装着と同様に扱われ、上記実施の形態におけるモード変更処理の判断の１つとしてもよい。
【００５７】
上述した実施の形態においては、放送受信手段としてラジオ受信手段について例示したが、ラジオ受信手段に代えてテレビジョン受信手段についても適用できる。
本実施の形態の携帯端末装置１には、映像を表示可能なＬＣＤ２７、オーディオ信号を出力可能な拡声スピーカ２４などを備えているため、テレビジョン放送信号を受信して復調などを行うアンテナ、復調回路などを、たとえば、上述した内部ラジオ電波受信用アンテナ１２、放送無線部１０、放送ベースバンド部１１に代えることにより、テレビジョン放送を再生できる。
また、外部ラジオ電波受信用アンテナ１３に代えて、テレビジョン放送電波を受信可能なアンテナを用いる。
【００５８】
本発明の携帯端末装置によれば次のような効果を奏する。放送受信手段を使用する際に、コネクタの結合状態を変えるという簡単な操作で携帯端末装置を所望のモードに設定できる。これによって放送受信手段付きの携帯端末装置の操作が簡便となり、携帯端末装置が使い易くなる。
【図面の簡単な説明】
【００５９】
【図１】図１は本発明の携帯端末装置の第１実施の形態のブロック図である。
【図２】図２は本発明の携帯端末装置の第１実施の形態の外観図である。
【図３】図３は本発明の携帯端末装置の第１実施の形態の動作手順と内容を示すフローチャートである。
【図４】図４は本発明の携帯端末装置の第２実施の形態の外観図である。
【図５】図５は本発明の携帯端末装置に第２実施の形態のコネクタのソケットを示す図である。
【図６】図６は本発明の携帯端末装置の第２実施の形態の動作手順と内容を示すフローチャートである。
【符号の説明】
【００６０】
１…携帯端末装置
１０…放送無線部、１１…放送ベースバンド部、１２…内部アンテナ
１３…外部アンテナ、１４…コネクタ検出部、１５…イヤホンアンテナ
２０…電話無線部、２１…電話ベースバンド部、２２…イヤースピーカ
２３…マイクロフォン、２４…拡声スピーカ、２５…イヤホン
２６…オーディオインターフェイス回路
２７…液晶表示器（ＬＣＤ）、２８…ＬＣＤコントローラ
２９…バイブレータ、３０…バイブレータドライバ
３１…発光ダイオード（ＬＥＤ）
３２…キー
３２ａ…電源入りキー、３２ｂ…マナーキー
３２ｃ…放送受信キー、３２ｄ…上下左右キー
３２ｅ…操作キー
３３…ＣＰＵ、３４…時計、３５…ＲＡＭ、３６…ＲＯＭ
３７…フラシュメモリ
４０…外部アンテナ用コネクタのレセプタクル
４１…外部アンテナのコネクタのプラグ
４２…イヤホンアンテナ用コネクタのレセプタクル
４３…イヤホンアンテナのコネクタのプラグ
４４ａ、４４ｂ…ホール、４５…ピン
５１…携帯電話用無線送受信用アンテナ、６１…ケース（筐体）
【図１】
2006129030.tif 000003
【図２】
2006129030.tif 000004
【図３】
2006129030.tif 000005
【図４】
2006129030.tif 000006
【図５】
2006129030.tif 000007
【図６】
2006129030.tif 000008